(57)【特許請求の範囲】
【請求項１】
互いに波長が異なり、同一のパッケージに収納されている複数のレーザー光源と、前記レーザー光源から放射した複数のレーザービームを光学的情報媒体に光スポットとして照射する光学的照射手段と、前記光学的情報媒体で反射された反射ビームを前記レーザー光源から前記光学的情報媒体に向かう光路から分離する光学的分離手段と、前記光学的分離手段で分離された前記反射ビームを検出する光検出手段と、を有する光ヘッドにおいて、前記光学的分離手段は、前記複数のレーザー光源から放射された複数のレーザービームを透過して前記反射ビームを反射することにより前記反射ビームを分離するものであり、異なる波長のレーザービームを反射する複数の反射面を有し、前記複数の反射面は互いに平行でなく、異なる方向から入射する複数の前記反射ビームをほぼ同一方向に反射することを特徴とする光ヘッド。
【請求項２】
請求項１記載の光ヘッドにおいて、前記複数のレーザー光源は、複数の半導体レーザチップ、又は、同一の半導体基板に形成された複数の半導体レーザー光源であることを特徴とする光ヘッド。
【請求項３】
請求項１又は２記載の光ヘッドにおいて、前記光学的分離手段は、異なる波長を反射する反射膜が形成され、前記レーザービームが入出する複数の光学表面を前記複数の反射面とする楔形平板、又は、内部に前記複数の反射面が設けられ、前記複数の反射面に異なる波長を反射する反射膜が形成されているプリズム型二重ミラーであることを特徴とする光ヘッド。
【請求項４】
請求項３に記載の光ヘッドにおいて、前記プリズム型二重ミラーは、前記複数のレーザー光源から放射した前記複数のレーザービームが入射する側の表面と、前記光学的情報媒体に向かって出射する側の表面とが互いに平行に形成されていることを特徴とする光ヘッド。
【請求項５】
互いに波長が異なり、同一のパッケージに収納されている複数のレーザー光源と、前記レーザー光源から放射した複数のレーザービームを光学的情報媒体に光スポットとして照射する光学的照射手段と、前記光学的情報媒体で反射された反射ビームを前記レーザー光源から前記光学的情報媒体に向かう光路から分離する光学的分離手段と、前記光学的分離手段で分離された前記反射ビームを検出する光検出手段と、を有する光ヘッドを用いて前記光学的情報媒体の記録又は再生を行う光学的情報媒体記録再生装置において、
前記光学的分離手段は、前記複数のレーザー光源から放射された複数のレーザービームを透過して前記反射ビームを反射することにより前記反射ビームを分離するものであり、異なる波長のレーザービームを反射する複数の反射面を有し、前記複数の反射面は互いに平行でなく、異なる方向から入射する複数の前記反射ビームをほぼ同一方向に反射することを特徴とする光学的情報媒体記録再生装置。
【請求項６】
請求項５記載の光学的情報媒体記録再生装置において、前記複数のレーザー光源は、複数の半導体レーザチップ、又は、同一の半導体基板に形成された複数の半導体レーザー光源であることを特徴とする光学的情報媒体記録再生装置。
【請求項７】
請求項５又は６記載の光学的情報媒体記録再生装置において、前記光学的分離手段は、異なる波長を反射する反射膜が形成され、前記レーザービームが入出する複数の光学表面を前記複数の反射面とする楔形平板、又は、内部に前記複数の反射面が設けられ、前記複数の反射面に異なる波長を反射する反射膜が形成されているプリズム型二重ミラーであることを特徴とする光学的情報媒体記録再生装置。
【請求項８】
請求項７に記載の光学的情報媒体記録再生装置において、前記プリズム型二重ミラーは、前記複数のレーザー光源から放射した前記複数のレーザービームが入射する側の表面と、前記光学的情報媒体に向かって出射する側の表面とが互いに平行に形成されていることを特徴とする光学的情報媒体記録再生装置。
【発明の詳細な説明】
【０００１】
【発明の属する技術分野】
本発明は、光ディスク等の光学的情報媒体に情報を記録しまたは情報を再生するための光ヘッドに関し、特に、複数の半導体レーザー光源を搭載したレーザモジュールを用いた光ヘッド及びそれを用いた光学的情報媒体記録再生装置に関する。
【０００２】
【従来の技術】
光ディスク装置等の光学的情報記録再生装置には、小型化薄型化とともにいろいろな機能が望まれている。
【０００３】
例えば、書込み可能な光ディスクとして普及したＣＤ−Ｒ（ Compact Disk-Recordable ）と、近年より高密度の書込み可能な光ディスクとして開発されたＤＶＤ（ Digital Versatile Disc ／ Digital Video Disc ）の、両方の光ディスクを同一の小型の光ヘッドで記録再生したい、という要求が著しい。ＣＤ―Ｒの記録再生に適するレーザ波長は約７８０ｎｍであり、一方、 ＤＶＤの記録再生に適するレーザ波長は約６６０ｎｍであるため、波長約７８０ｎｍのレーザ光源と波長約６６０ｎｍのレーザ光源の両方を同一の光ヘッドに搭載する必要がある。そこで、例えば特開平１０−２６１２４０号公報や特開平１１−２５５０１号公報では、波長約７８０ｎｍのＣＤ用半導体レーザチップと波長約６６０ｎｍのＤＶＤ用半導体レーザチップを１つのパッケージに収納し、またＣＤ用レーザビームを受光する光検出器とＤＶＤ用レーザビームを受光する光検出器を１つのパッケージにまとめた小型の光ヘッドが提案されている。
【０００４】
通常、異なる発光点から出射したビームはレンズ系により異なる位置に結像するから、これらの光ヘッドにおいても、２つの半導体レーザチップから出射したビームは光ディスク面上の異なる位置に結像し、さらにそれらの反射ビームは光検出器面上の異なる位置に結像する。そこで、特開平１０−２６１２４０号公報の図４や特開平１１−２５５０１号公報の図５において、波長約７８０ｎｍのＣＤ用レーザビームを受光するための光検出素子と波長約６６０ｎｍのＤＶＤ用レーザレーザビームを受光するための光検出素子の形状が示されている。また、特開平１１−２５５０１号公報の第２の実施例では、図１６に示すように、ウォーラストンプリズムや偏光選択性ホログラム、波長選択性ホログラム等の回折手段３１を用いて一方のレーザビームの進行方向を変えて光検出器１０面上の２つのレーザビームの結像位置を一致させることにより、光検出素子を共通化する技術が開示されている。
【０００５】
【発明が解決しようとする課題】
しかしながら、上述した従来例では、１つの光検出器内部にＣＤ用レーザビームを受光するための光検出素子とＤＶＤ用レーザビームを受光するための光検出素子が必要になり、光検出器形状が大きくなるだけでなく、ＣＤ用光検出素子の出力信号を処理するためのＣＤ用信号処理回路とＤＶＤ用光検出素子の出力信号を処理するためのＤＶＤ用信号処理回路が必要になる、という問題がある。
【０００６】
また、光検出素子を共通化した従来例では、一方のレーザビームには作用がなく、他方のレーザビームの進行方向を変えるウォーラストンプリズムや偏光選択性ホログラム、波長選択性ホログラム等の特殊な回折手段が必要であり、光ヘッドの光学部品コストが高くなる、という問題がある。
【０００７】
本発明の目的は、複数のレーザ光源を用いて光学的情報媒体に情報を記録しまたは情報を再生するための光ヘッドにおいて、新たに高価な光学部品を用いることなく、複数のレーザビームを受光するための光検出素子を共通化できる光ヘッド及びそれを用いた光学的情報媒体記録再生装置を提供することにある。
【０００８】
【課題を解決するための手段】
上記目的を達成するために、波長が異なる半導体レーザチップ等の複数のレーザー光源と、レーザー光源から放射した複数のレーザービームを光ディスク等の光学的情報媒体に光スポットとして照射するフォーカスレンズ等の光学的照射手段と、光学的情報媒体で反射した反射ビームをレーザ光源から情報媒体に向かう光路から分離するミラー等の光学的分離手段と、光学的分離手段で分離された反射ビームを検出する光検出器等の光検出手段と、を有する光ヘッド及びそれを用いた光学的情報媒体記録再生装置において、光学的分離手段は、異なる波長のレーザービームを反射する複数の反射面からなり、異なる方向から入射する複数のレーザービームをほぼ同一方向に反射するように複数の反射面を互いに平行でない、ようにした。
【０００９】
また、複数のレーザー光源は、複数の半導体レーザチップであり、同一のパッケージに収納した。
【００１０】
さらに、複数のレーザー光源は、同一の半導体基板に形成された複数の半導体レーザ光源とした。
【００１１】
また、光学的分離手段は、ビームが入出する複数の光学表面が互いに平行でない楔型平板であり、複数の光学表面には異なる波長を反射する反射膜を形成した。
【００１２】
さらに、光学的分離手段は、ビームが入出する複数の光学表面が互いに平行なブロック状平板であり、ブロック状平板の内部に互いに平行でない複数の反射面を有し、複数の反射面には異なる波長を反射する反射膜を形成した。
【００１３】
また、波長が異なる複数の半導体レーザチップ等の半導体レーザー光源を収納したレーザパッケージと、半導体レーザー光源から放射した複数のレーザービームを平行光束にするコリメートレンズと、平行光束となった複数のレーザービームを光ディスク等の光学的情報媒体に光スポットとして集束するフォーカスレンズと、光学的情報媒体からの反射ビームを検出する光検出器等の光検出手段と、を有する光ヘッド及びそれを用いた光学的情報媒体記録再生装置において、コリメートレンズとフォーカスレンズの間に光学的情報媒体で反射した反射ビームを光検出器に導ためのミラーを有し、ミラーは、ビームが入出する複数の光学表面が互いに平行でない楔型平板であり、複数の光学表面には異なる波長を反射する反射膜を形成した。
【００１４】
さらに、波長が異なる複数の半導体レーザチップ等の半導体レーザー光源を収納したレーザパッケージと、半導体レーザー光源から放射した複数のレーザービームを光ディスク等の光学的情報媒体に光スポットとして集束するコリメートレンズとフォーカスレンズを組み合わせたレンズ系や有限系型フォーカスレンズ等の集光レンズと、光学的情報媒体からの反射ビームを検出する光検出器等の光検出手段と、を有する光ヘッド及びそれを用いた光学的情報媒体記録再生装置において、レーザパッケージと集光レンズの間に光学的情報媒体で反射した反射ビームを光検出器に導ためのミラーを有し、ミラーは、ビームが入出する複数の光学表面が互いに平行なブロック状平板であり、ブロック状平板の内部に互いに平行でない複数の反射面を有し、複数の反射面には異なる波長を反射する反射膜を形成した。
【００１５】
【発明の実施の形態】
以下、本発明の第１実施例を、図１から図５を用いて説明する。
【００１６】
図１は、本発明を用いた光ヘッドの基本構成を示す。１ａはＤＶＤ用の半導体レーザチップで波長λａ＝６６０ｎｍのレーザビーム２ａを放射し、１ｂはＣＤ用やＣＤ−Ｒ用やＣＤ−ＲＷ用の半導体レーザチップで波長λｂ＝７８０ｎｍのレーザビーム２ｂを放射する。３はレーザパッケージで、半導体レーザチップ１ａと１ｂを収納する。４はコリメートレンズで、ＤＶＤ用レーザビーム２ａとＣＤ用レーザビーム２ｂを平行光束にする。５はフォーカスレンズで、基板厚さ０．６ｍｍで使用波長が６６０ｎｍで開口数が０．６であるＤＶＤ光ディスクと、基板厚さ１．２ｍｍで使用波長が７８０ｎｍで開口数が約０．５であるＣＤ光ディスクの両方に適するように、入射瞳径が変化可能なレンズや、入射側にホログラム素子を付加したものや、入射側レンズ面にホログラム素子や輪帯溝を付加したもの、などである。６は、上述したＤＶＤ光ディスクやＣＤ光ディスクやＣＤ−Ｒ光ディスクやＣＤ−ＲＷ光ディスクを示す。７は、偏光性の4分割回折格子と４分の１波長板を張り合わせて一体にした複合素子で、半導体レーザチップ側に偏光性の４分割回折格子を向けて配置する。偏光性の４分割回折格子は、例えば複屈折性の光学結晶板や液晶板でできていて、入射光が常光線の場合は回折せずに透過し、異常光線の場合は回折格子として作用する。４分割回折格子は、光ディスク６で反射したレーザビームを用いて焦点ずれ検出信号やトラックずれ検出信号を検出するために、その回折格子領域は４つに分割されている。８は本発明による楔型の二重ミラーで、光学表面８ａには波長λａ＝６６０ｎｍのレーザビームを反射し波長λｂ＝７８０ｎｍのレーザビームを透過する誘電体積層膜が蒸着されていて、光学表面８ｂには波長λａ＝６６０ｎｍのレーザビームを透過し波長λｂ＝７８０ｎｍのレーザビームを反射する誘電体積層膜が蒸着されている。また、光学表面８ａと８ｂは平行ではなく傾いた楔型の形状をしている。９は検出用レンズで、１０は光検出器である。楔型二重ミラー８で反射したレーザビームは、検出用レンズ９により光検出器１０の受光面上に集束する。
【００１７】
図１の実施例では、一例として、ＤＶＤ用の半導体レーザチップ１ａを、１１で示すコリメートレンズ４の光軸上に配置してある。
【００１８】
半導体レーザチップ１ａから出射したレーザビーム２ａは、コリメートレンズ４により光軸１１に平行な平行光束になり、フォーカスレンズ５により光ディスク６上の光スポット１２ａとなる。光ディスク６で反射したレーザビーム２ａは、フォーカスレンズ５により光軸１１に平行な平行光束になり、楔型二重ミラー８の光学表面８ａに入射する。光学表面８ａは光軸１１に対して４５度に配置されていて、レーザビーム２ａは、光学表面８ａにより光軸１１とは直角方向に反射され、検出レンズ９により光検出器１０上の１３ａに示す位置に集束する。一方、半導体レーザチップ１ｂから出射したレーザビーム２ｂは、コリメートレンズ４により光軸１１とはθだけ傾いた平行光束になり、フォーカスレンズ５により光ディスク６上の光スポット１２ｂとなる。レーザビーム２ｂの傾き角θは、例えば、半導体レーザチップ１ａの発光点と半導体レーザチップ１ｂの発光点との間隔をｄ、コリメートレンズ４の焦点距離をｆｃとすれば近似的にθ＝ｄ／ｆｃで表され、ｄ＝３００μｍでｆｃ＝１７ｍｍの場合はθ＝０．０１７６ラジアン＝１．０度である。光ディスク６で反射したレーザビーム２ｂは、フォーカスレンズ５により光軸１１とはθだけ傾いた平行光束になり、楔型二重ミラー８の光学表面８ａを通過した後、光学表面８ｂで反射され、再度光学表面８ａを通過し、検出レンズ９により光検出器１０上の１３ｂに示す位置に集束する。楔型二重ミラー８の光学表面８ｂは、光学表面８ａに対して傾いていて、これによりレーザビーム２ｂの傾き角θをキャンセルする作用がある。そこで、楔型二重ミラー８で反射されたレーザビーム２ｂの進行方向は、レーザビーム２ａと同じ方向になるので、レーザビーム２ｂの集束する位置１３ｂをレーザビーム２ｂの集束する位置１３ａと同じにすることができる。
【００１９】
図２は、楔型二重ミラー８の光学表面８ｂがレーザビーム２ｂの傾き角θをキャンセルする作用を説明する図である。２１は光学表面８ａの法線を示し、レーザビーム２ｂが光学表面８ａに入射する場合、入射角をｉ、屈折角をγ、楔型二重ミラー８の屈折率をｎ、とすれば、屈折の法則からsinｉ＝ｎ*sinγである。また、２２も光学表面８ａの法線を示し、レーザビーム２ｂが光学表面８ａを出射する場合、入射角をγ‘、出射角をｉ’、とすれば、ｎ*sinγ‘＝sinｉ‘である。点線２３は光学表面８ａと平行な面を示し、光学表面８ｂは面２３とα傾いている。点線２４は面２３の法線を示し、２５は光学表面８ｂの法線を示し、法線２５は法線２４とα傾いている。レーザビーム２ｂが光学表面８ｂで反射する場合、入射角はγ＋α、反射角はγ‘−αで、反射の法則により入射角と反射角は等しいので、γ＋α＝γ‘−αまたはα＝（γ‘−γ）／２となる。例えばｎ＝１．５で、レーザビーム２ｂの傾き角をθ＝１．０度とすれば、ｉ＝４５度−θ＝４４度からγ＝２７．５８８度、一方ｉ’＝４５度からγ’＝２８．１２６度である。これより、α＝（γ‘−γ）／２＝０．２６９度となる。よって、楔型二重ミラー８の光学表面８ｂと光学表面８ｂの角度を０．２６９度に設定することにより、レーザビーム２ｂの傾き角θをキャンセルすることができる。
【００２０】
本実施例では、半導体レーザチップ１ａや１ｂから放射されたレーザビーム２ａや２ｂは、偏光性の４分割回折格子と４分の１波長板の複合素子７に入射する場合に例えば常光線として入射し、偏光性回折格子部分は回折せずにそのまま透過して、複合素子７の４分の１波長板により円偏光となる。光ディスクで反射したレーザビーム２ａや２ｂは、複合素子７の４分の１波長板により異常光線となり、偏光性の4分割回折格子で回折される。
【００２１】
図３は、複合素子７における４分割回折格子の回折格子パターンの一例を示し、境界線３１と３２で４つの領域に分割されている。円３３はレーザビーム２ａまたは２ｂを示し、４分割回折格子により４つの＋１次回折光と４つの−１次回折光に分離される。４つの領域の回折格子は、格子溝の方向が異なるが、格子溝の間隔は等しい。そこで、８つの±１次回折光は、回折方向は異なるが回折角度は等しくなる。このような８つの回折光を検出レンズ９で光検出器１０の受光面上に集光すると、位置１３ａまたは１３ｂを中心とした同心円周上に８つのスポットとして集束する。
【００２２】
図４は、光検出器１０の受光面を示す。４１ａで示す８つの黒塗りの４分の１円は、光ディスク６で反射し４分割回折格子で分離された波長λａのレーザビーム２ａを示し、位置１３ａを中心とした円４２ａの周上にある。４１ｂで示す８つの塗りつぶさない４分の１円は、光ディスク６で反射し４分割回折格子で分離された波長λｂのレーザビーム２ｂを示し、位置１３ｂを中心とした円４２ｂの周上にある。円４２ａと４２ｂの中心は一致している。４３ａと４３ｂは、焦点ずれ検出信号を得るための光検出素子で、向かい合った２個の細長い形の光検出素子４３ａと４３ｂを１組として４組で構成し、波長λａのレーザビーム４１ａまたは波長λｂのレーザビーム４１ｂを受光する。焦点ずれ検出方法は、４分割ビームによるナイフエッジ方法（フーコー方法）を用い、各組の２つの受光素子の出力信号を差演算すれば焦点ずれ検出信号を得ることができる。しかし本実施例では、受光素子同士をアルミニューム等の導電性薄膜４４で図に示したごとく結線し、ワイヤーボンディング用パット４５のＡ端子とＢ端子からの出力信号を差演算して、焦点ずれ検出信号を得る。４６は、トラックずれ検出信号と情報再生信号を得るための４つの光検出素子で、パット４５のＣ端子とＤ端子とＥ端子とＦ端子に接続されている。
【００２３】
図５は、焦点ずれ検出信号やトラックずれ検出信号や情報再生信号を得るための信号演算回路のブロック図である。５１は、図４に示したワイヤーボンディング用パット４５のＡ端子とＢ端子からの出力信号を減算するための差動回路で、焦点ずれ検出信号５２を出力する。５３−１はＣ端子とＤ端子からの出力信号を加算するための加算回路で、５３−２はＥ端子とＦ端子からの出力信号を加算するための加算回路である。５３−３は、加算回路５３−１の出力信号と加算回路５３−２の出力信号を減算するための差動回路で、案内溝等を有する光ディスクを用いた場合のプッシュプル型トラックずれ検出信号５４を出力する。５３−４は、加算回路５３−１の出力信号と加算回路５３−２の出力信号を加算するための加算回路で、情報再生信号５５を出力する。５６−１はＣ端子とＥ端子からの出力信号を加算するための加算回路で、５６−２はＤ端子とＦ端子からの出力信号を加算するための加算回路である。５６−３は、加算回路５６−１の出力信号と加算回路５６−２の出力信号を減算するための差動回路で、案内ピット等を有する光ディスクを用いた場合の位相差型トラックずれ検出信号５７を出力する。これらの焦点ずれ検出信号やトラックずれ検出信号を、レンズアクチュエータに供給し、レンズアクチュエータに取り付けられたフォーカスレンズ５を光軸方向およびディスク半径方向に駆動することによって、自動焦点制御やトラック追従制御を達成することができる。
【００２４】
図９は、本実施例を用いた光ディスク装置の構造を示し、（ａ）は上面図、（ｂ）は側面図である。９１は光ディスク装置の筐体である。９２はモーターで、光ディスク装置の筐体９１に取付けられていて、シャフト９３を介して光ディスク６を回転させる。９４は光ヘッドを示し、図１に示した光学部品が収納されている。９５は、図１で示した半導体レーザチップ１ａや１ｂを収納したパッケージである。９６は、図１に示したフォーカスレンズ５が取り付いたレンズアクチュエータである。９７は光ヘッド９４に取付けられたアクセス機構、９８は光ディスク装置の筐体９１に取付けられているレールである。光ヘッド９４は、アクセス機構９７によってレール９８上をディスク６の半径方向に移動することができる。パッケージ９５に搭載されている半導体レーザチップから放射したレーザビームは、レンズアクチュエータ９６のフォーカスレンズを介して光ヘッド９４から放射され、回転する光ディスク６に照射される。反射ビームは、再度フォーカスレンズを介して光ヘッド９４に入射し、図１に示した光検出器１０で受光され焦点ずれ検出信号とトラックずれ検出信号と情報再生信号が得られる。
【００２５】
図１０は、本実施例に用いたレンズアクチュエータ９６の構造を示す。（ａ）は光ディスク６の方向から見た上面図である。１０１はレンズホルダーで、フォーカスレンズ５とコイル１０４が取付けられていて、バネ１０２で保持台１０３に保持されている。バネ１０２の横には磁石１０５があり、磁石１０５と保持台１０３は光ヘッド筐体に固定されている。（ｂ）は、レンズアクチュエータ９６を横方向から見た側面の断面図である。実線１０６は、磁石１０５や保持台１０３等を固定する光ヘッド筐体の表面を示す。レンズホルダー１０１は、軽くしかもフォーカスレンズ５を保持する部分の剛性を高めるために、箱型の構造をしている。特に剛性を高めるために横板部分１０７は必須である。レーザビーム２ａと２ｂを紙面右方向、即ちディスク円周方向から入射させ、ミラー１０８で反射させる。図５で示した焦点ずれ検出信号５２をコイル１０４に流すと、コイル１０４と磁石１０５の間で発生する電磁気力により、レンズホルダー１０１が図１０の（ｂ）の紙面縦方向に移動し、焦点制御制御を達成することができる。また、プッシュプル型トラックずれ検出信号５４や位相差型トラックずれ検出信号５７をコイル１０４に流すと、コイル１０４と磁石１０５の間で発生する電磁気力により、レンズホルダー１０１が図１０の（ａ）の紙面縦方向に移動しトラッキング制御を達成することができる。
【００２６】
図６を用いて、本発明の他の実施例を説明する。図６は、本発明を用いた他の光ヘッドの基本構成を示す。６１ａはＤＶＤ用の半導体レーザチップで波長λａ＝６６０ｎｍのレーザビーム６２ａを放射し、６１ｂはＣＤ用やＣＤ−Ｒ用やＣＤ−ＲＷ用の半導体レーザチップで波長λｂ＝７８０ｎｍのレーザビーム６２ｂを放射する。６３は本発明によるブロック状平板またはプリズム型の二重ミラーで、外形は例えば立方体形状である。レーザビームが入射出射する光学表面６３ｃと６３ｄは平行であるので、発散状のレーザビーム６２ａと６２ｂにはコマ収差等の不要な収差が生じることは無い。二重ミラー６３内部には、波長λａ＝６６０ｎｍのレーザビームを反射し波長λｂ＝７８０ｎｍのレーザビームを透過する誘電体積層膜を蒸着した反射面６３ａと、波長λａ＝６６０ｎｍのレーザビームを透過し波長λｂ＝７８０ｎｍのレーザビームを反射する誘電体積層膜を蒸着した反射面６３ｂを有し、反射面６３ａと６３ｂは平行ではなく傾いた形状をしている。６４は立上げミラーである。６５は４分割回折格子で、光ディスクで反射したレーザビームを用いて焦点ずれ検出信号やトラックずれ検出信号を検出するために、前述の図２に示したように回折格子領域が４つに分割されている。６６は有限系のフォーカスレンズで、半導体レーザチップ６１ａから出射したレーザビーム６２ａや半導体レーザチップ６１ｂから出射したレーザビーム６２ｂを光ディスク面上に結像させる。また、フォーカスレンズ６６は、前述のようにＤＶＤ光ディスクとＣＤ光ディスクの両方に適するような、入射瞳径が変化可能なレンズや、入射側にホログラム素子を付加したものや、入射側レンズ面にホログラム素子や輪帯溝を付加したもの、などを用いることができる。６７は光検出器で、４分割回折格子６５が無い場合のレーザビーム６２ａと６２ｂの集束位置を点６８ａと６８ｂで示す。二重ミラー６３内部の反射面６３ａと６３ｂが傾いている作用で、レーザビーム６２ａと６２ｂの仮想的集束位置６８ａと６８ｂを一致させることができる。光検出器６７の受光面は、前述の図４に示したような形状であり、光検出器６７面上の仮想的集束位置６８ａと６８ｂは図４の位置１３ａと１３ｂに相当する。焦点ずれ検出信号やトラックずれ検出信号や情報再生信号を得るための４分割回折格子６５と光検出器６８の作用は、前述の実施例で説明した作用と同じなので、省略する。
【００２７】
図７は、二重ミラー６３の内部の反射面６３ａと６３ｂの作用を説明する図である。半導体レーザチップ６１ａから出射したレーザビーム６２ａは、フォーカスレンズ６６により焦点７１ａに結像し、ディスク７２で反射し、フォーカスレンズ６６により点６１ａに向かって集束する。また、半導体レーザチップ６１ｂから出射したレーザビーム６２ｂは、フォーカスレンズ６６により焦点７１ｂに結像し、ディスク７２で反射し、フォーカスレンズ６６により点６１ｂに向かって集束する。これらの反射ビームを１つの反射面を有する通常のミラー７３で分離した場合、レーザビーム６２ａは点７４ａに集束し、レーザビーム６２ｂは点７４ｂに集束する。集束点７４ａと７４ｂの間隔は、半導体レーザチップ６１ａと６１ｂの間隔に等しく、例えば３００μｍ程度である。よって、レーザビーム６２ａを受光するための専用の受光素子とレーザビーム６２ｂを受光するための専用の受光素子が必要となってしまう。一方、本発明の二重ミラー６３を用いた場合、レーザビーム６２ａは反射面６３ｂを透過し反射面６３ａで反射し点６８ａに集束し、レーザビーム６２ｂは反射面６３ｂで反射し点６８ｂに集束する。反射面６３ａと６３ｂは図に示すように平行ではなく互いに傾いた配置になっていて、反射面６３ａと６３ｂのなす角を適切に設定することにより、集束点６３ａと６３ｂを一致させることができる。しかも、レーザビームが入射出射する光学表面６３ｃと６３ｄは平行であるので、発散状のレーザビーム６２ａと６２ｂにコマ収差等の不要な収差を生じさせることは無い。
【００２８】
以上の実施例では、レーザ光源として、複数の半導体レーザチップを並列に並べたものまたはそれらを同一のパッケージに収納したものであったが、図８に示すような１つの半導体レーザチップの中に複数の波長の異なるレーザ発振領域を設けたものでもよい。図８の８１は、半導体プロセスにより２つのレーザ発振領域を形成した２レーザチップで、各々のレーザ発振領域は、レーザビーム８２ａとレーザビーム８２ｂを放射する。図１で説明した２つの半導体レーザチップ１ａと１ｂや、図６で説明した2つの半導体レーザチップ６１ａと６１ｂの変わりに、２レーザチップ81を用いることにより、より組立てが容易なレーザモジュールを実現することができる。
【００２９】
【発明の効果】
以上述べたように、本発明によれば、複数のレーザ光源を用いて光学的情報媒体に情報を記録しまたは情報を再生するための光ヘッドにおいて、新たに高価な光学部品を用いることなく、複数のレーザビームを受光するための光検出素子を共通化できる光ヘッド及びそれを用いた光学的情報媒体記録再生装置を実現することができる。
【図面の簡単な説明】
【図１】第１の実施例における光ヘッドの構成図
【図２】第１の実施例における原理を説明する図
【図３】図１における回折格子部分の構成図
【図４】図１における光検出器の構成図
【図５】図１における信号演算回路の構成図
【図６】第２の実施例における光ヘッドの構成図
【図７】第２の実施例における原理を説明する図
【図８】本実施例における他の半導体レーザチップの構成図
【図９】本実施例を用いた光ディスク装置の構成図
【図１０】図９におけるレンズアクチュエータの構成図
【符号の説明】
１ａ，１ｂ  …  半導体レーザチップ
３  …  レーザパッケージ
４  …  コリメートレンズ
５  …  フォーカスレンズ
６  …  光ディスク
８  …  楔型二重ミラー
９  …  検出用レンズ
１０  …  光検出器
６１ａ，６１ｂ  …  半導体レーザチップ
６６  …  フォーカスレンズ
６３  …  二重ミラー
６７  …  光検出器
【図１】
0003965857.tif 000002
【図２】
0003965857.tif 000003
【図３】
0003965857.tif 000004
【図４】
0003965857.tif 000005
【図５】
0003965857.tif 000006
【図６】
0003965857.tif 000007
【図７】
0003965857.tif 000008
【図８】
0003965857.tif 000009
【図９】
0003965857.tif 000010
【図１０】
0003965857.tif 000011